(57)【要約】【課題】蜂蜜を採集する効率を高めることができ、蜜蜂が巣に戻った後に巣を整理する時間を短縮することができる蜂蜜遠心分離器を提供する。【解決手段】本考案の蜂蜜遠心分離器２００は、収容槽２１０、回転軸２２０、駆動装置２３０及び巣礎枠ホルダー群２４０を含む。回転軸２２０は、収容槽２１０内に設置される。駆動装置２３０は、回転軸２２０に接続され、回転軸２２０を駆動して回転させる。巣礎枠ホルダー群２４０は、環状に設置される上、回転軸２２０に接続される複数の巣礎枠ホルダー２４１を含む。各巣礎枠ホルダー２４１は、回転軸２２０に非直交に結合される。また、各巣礎枠ホルダー２４１は、回転方向と反対方向に所定角度傾斜する。【選択図】図６
0003186965.tif 000002
【実用新案登録請求の範囲】
【請求項１】
収容槽、回転軸、駆動装置及び巣礎枠ホルダー群を備える本考案の蜂蜜遠心分離器であって、
前記回転軸は、前記収容槽内に設置され、
前記駆動装置は、前記回転軸に接続され、前記回転軸を駆動して回転させ、
前記巣礎枠ホルダー群は、環状に設置される上、前記回転軸に接続される複数の巣礎枠ホルダーを有し、前記各巣礎枠ホルダーは、前記回転軸に非直交に結合され、前記各巣礎枠ホルダーは、回転方向と反対方向に所定角度傾斜することを特徴とする蜂蜜遠心分離器。
【請求項２】
前記所定角度は、９度〜１４度であることを特徴とする請求項１に記載の蜂蜜遠心分離器。
【請求項３】
前記各巣礎枠ホルダーは、複数の支持フレームから構成され、前記複数の支持フレームにより、上面と、前記上面と反対側の底面と、第１側面と、前記第１側面と反対側の第２側面と、が形成され、前記底面と前記収容槽の底面とは、平行であることを特徴とする請求項２に記載の蜂蜜遠心分離器。
【請求項４】
前記駆動装置は、回転ハンドル伝動装置であることを特徴とする請求項３に記載の蜂蜜遠心分離器。
【請求項５】
前記駆動装置は、電動装置であることを特徴とする請求項３に記載の蜂蜜遠心分離器。
【請求項６】
前記複数の巣礎枠ホルダーの寸法は、内部に前記巣礎枠を係合設置することができる寸法であることを特徴とする請求項４又は５に記載の蜂蜜遠心分離器。
【請求項７】
前記収容槽は、鉄製又はステンレス製の桶であることを特徴とする請求項６に記載の蜂蜜遠心分離器。
【考案の詳細な説明】
【技術分野】
【０００１】
本考案は、蜂蜜遠心分離器に関し、特に、巣礎枠ホルダーを改良した蜂蜜遠心分離器に関する。
【背景技術】
【０００２】
従来の蜂蜜遠心分離器を図１〜図５を参照して説明する。
図１は、従来の蜂蜜遠心分離器を示す斜視図である。図２は、従来の蜂蜜遠心分離器を示す上面図である。図３は、従来の巣礎枠を示す斜視図である。図４は、従来の巣礎枠ホルダーに巣礎枠を設置した状態を示す上面図である。図５は、従来の巣礎枠及び巣を示す側面図である。
【０００３】
図１及び図２に示すように、従来の蜂蜜遠心分離器１００は、収容槽１１０、回転軸１２０、駆動装置１３０及び巣礎枠ホルダー群１４０を含む。収容槽１１０は、桶状容器であり、中央部分に回転軸１２０が設置される。回転軸１２０に駆動装置１３０が接続されることにより、駆動装置１３０が回転軸１２０を駆動して回転させる。巣礎枠ホルダー群１４０は、複数の巣礎枠ホルダー１４１を含む。複数の巣礎枠ホルダー１４１は、放射状に配置される上、回転軸１２０に接続される。
【０００４】
図１〜図３に示すように、各巣礎枠ホルダー１４１は、複数の支持フレーム１４２からなる長方形の枠ホルダーである。各巣礎枠ホルダー１４１によって形成される長方形の空間には、巣礎枠１６０が収容される。巣礎枠１６０は、巣枠１６１及び巣礎１６２を含む。巣枠１６１は、グリップ部１６６及び下枠部１６７を有する。巣礎枠１６０は、下枠部１６７が回転軸１２０に近く、グリップ部１６６が回転軸１２０から遠くなるように、巣礎枠ホルダー１４１中に設置される。
【０００５】
図４に示すように、従来の蜂蜜遠心分離器１００によって蜂蜜を採集する際、回転軸１２０を中心として、駆動装置１３０により、回転軸１２０を回転させる。これにより、巣礎枠ホルダー群１４０が時計回り（図４中の白色の矢印の方向）に回転するため、巣礎枠ホルダー１４１に収容された巣礎枠１６０中の蜂蜜が遠心力の作用によって収容槽１１０に放出され、蜂蜜が採集される。
【０００６】
図４及び図５に示すように、蜜蜂は、巣を形成する習性があり、蜂蜜を貯蔵するのに都合がよいように、グリップ部１６６に近い位置に、上方に角度α（一般に、９度〜１４度）に巣１６３を形成する。このため、蜂蜜を採集する際、巣礎枠ホルダー１４１中の巣礎枠１６０の受風面１６４部分は、垂直に風を受けるため、風抵抗が大きい。これにより、遠心力によって巣１６３内部の蜂蜜を収容槽１１０中にスムーズに放出させるのが困難であるため、回転速度を高め、遠心力を増大しなければならない。
【０００７】
回転速度を高めた場合、受風面１６４部分の巣１６３中の蜂蜜をスムーズに放出させ、受風面１６４部分の巣１６３中の蜂蜜の残留率を低下することができる。しかし、背面１６５部分は、受ける遠心力が強すぎるため、背面１６５部分の巣１６３中の幼虫が死亡したり、変位したり、巣１６３から放出されたりする。これにより、蜜蜂が巣１６３に戻ってきた際、巣１６３を整理したり、変位した幼虫を移動させたりする必要があり、養蜂の効率及び単位時間における生産量が低下してしまう。従って、蜜蜂の巣を形成する習性に基づいて設計され、蜂蜜を採集する効率を高め、幼虫が変位するのを低減することができる蜂蜜遠心分離器が求められていた。
【先行技術文献】
【特許文献】
【０００８】
【特許文献１】実用新案登録第３１３７３５６号公報
【考案の概要】
【考案が解決しようとする課題】
【０００９】
本考案の主な目的は、従来の蜂蜜遠心分離器における受風面部分の風抵抗が大きいため、蜂蜜を採集する効率が低下する問題と、背面部分の幼虫が変位する問題とを解決することができる蜂蜜遠心分離器を提供することにある。
【課題を解決するための手段】
【００１０】
上述の課題を解決するために、本考案の蜂蜜遠心分離器は、収容槽、回転軸、駆動装置及び巣礎枠ホルダー群を備える本考案の蜂蜜遠心分離器であって、
前記回転軸は、前記収容槽内に設置され、前記駆動装置は、前記回転軸に接続され、前記回転軸を駆動して回転させ、前記巣礎枠ホルダー群は、環状に設置される上、前記回転軸に接続される複数の巣礎枠ホルダーを有し、前記各巣礎枠ホルダーは、前記回転軸に非直交に結合され、前記各巣礎枠ホルダーは、回転方向と反対方向に所定角度傾斜することを特徴とする。
【００１１】
すなわち、蜂蜜遠心分離器は、収容槽、回転軸、駆動装置及び巣礎枠ホルダー群を含み、回転軸は収容槽内に設置され、駆動装置は、回転軸に接続され、回転軸を駆動して回転させる。
巣礎枠ホルダー群は、環状に設置される上、回転軸に接続される複数の巣礎枠ホルダーを含む。各巣礎枠ホルダーは、回転軸に非直交に結合される。また、各巣礎枠ホルダーは、回転方向と反対方向に所定角度傾斜する。
【００１２】
この所定角度は、９度〜１４度であり、各巣礎枠ホルダーは、複数の支持フレームから構成される。また、複数の支持フレームにより、上面と、上面と反対側の底面と、第１側面と、第１側面と反対側の第２側面と、が形成される。底面と収容槽の底面とは、平行である。
【００１３】
駆動装置は、回転ハンドル伝動装置又は電動装置である。また、複数の巣礎枠ホルダーの寸法は、内部に巣礎枠を係合設置することができる寸法である。更に、収容槽は、鉄製又はステンレス製の桶である。
【考案の効果】
【００１４】
本考案の蜂蜜遠心分離器は、少なくとも以下（１）〜（３）に示す効果を実現することができる。
（１）蜂蜜を採集する効率を高めることができる。
（２）蜜蜂が巣礎枠に戻った後に巣を整理する時間を短縮することができる。
（３）蜂蜜の生産量を高めることができる。
【図面の簡単な説明】
【００１５】
【図１】従来の蜂蜜遠心分離器を示す斜視図である。
【図２】従来の蜂蜜遠心分離器を示す上面図である。
【図３】従来の巣礎枠を示す斜視図である。
【図４】従来の巣礎枠ホルダーに巣礎枠を設置した状態を示す上面図である。
【図５】従来の巣礎枠及び巣を示す側面図である。
【図６】本考案の実施例の蜂蜜遠心分離器を示す斜視図である。
【図７】本考案の実施例の蜂蜜遠心分離器及び巣礎枠を示す斜視図である。
【図８】本考案の実施例の巣礎枠ホルダーを示す斜視図である。
【図９】本考案の実施例の巣礎枠ホルダーを示す上面図である。
【考案を実施するための形態】
【００１６】
本考案の明細書、実用新案登録請求の範囲及び図面に基づき、当業者が本考案の目的及び長所を容易に理解して実施できるように、本考案の目的、特徴及び効果を示す実施形態を図面に沿って詳細に説明する。
【００１７】
図６は、本考案の蜂蜜遠心分離器の実施例を示す斜視図である。図７は、本考案の実施例の蜂蜜遠心分離器及び巣礎枠を示す斜視図である。図８は、本考案の実施例の巣礎枠ホルダーを示す斜視図である。図９は、本考案の実施例の巣礎枠ホルダーを示す上面図である。
【００１８】
図６及び図７に示すように、本考案の実施例の蜂蜜遠心分離器２００は、収容槽２１０、回転軸２２０、駆動装置２３０及び巣礎枠ホルダー群２４０を含む。
収容槽２１０は、鉄製又はステンレス製の桶である。蜂蜜遠心分離器２００を使用して蜂蜜を採集する際、収容槽２１０に蜂蜜を収集して一時的に収容することができる。
回転軸２２０は、収容槽２１０内に設置される上、収容槽２１０の中心位置に位置する。
【００１９】
前記駆動装置２３０は、回転軸２２０に接続され、回転軸２２０を駆動して回転させる。駆動装置２３０は、回転ハンドル伝動装置である。回転ハンドル伝動装置は、回転ハンドル２３１と歯車群２３２とが連動することにより、回転軸２２０を回転させるものである。また、駆動装置２３０は、電動装置でもよく、電動装置は、モータによって回転軸を駆動して回転させる。
【００２０】
前記巣礎枠ホルダー群２４０は、環状に設置され、回転軸２２０に接続される複数の巣礎枠ホルダー２４１を含む。巣礎枠ホルダー２４１は、巣礎枠１６０を収容するために用いられる。巣礎枠ホルダー２４１の寸法は、内部に巣礎枠１６０を係合設置することができる寸法である。
【００２１】
前記巣礎枠ホルダー２４１は、回転軸２２０に接続されるため、回転軸２２０が回転すると、全ての巣礎枠ホルダー２４１が回転し、遠心力の作用により、巣礎枠ホルダー２４１に設置された巣礎枠１６０中の蜂蜜が収容槽２１０中に放出され、収容槽２１０中に収集される。
【００２２】
図８を同時に参照する。各巣礎枠ホルダー２４１は、複数の支持フレーム２４２から構成され、複数の支持フレーム２４２によって長方形の枠フレームが構成される。長方形の枠フレームによって構成される空間には、上面２４４と、上面２４４と反対側の底面２４５と、第１側面２４６と、第１側面２４６と反対側の第２側面２４７と、が形成される。底面２４５と収容槽２１０の底面とは、平行である。巣礎枠ホルダー２４１に巣礎枠１６０が収容された際、第１側面２４６は、巣礎枠１６０の受風面１６４と隣り合い、第２側面２４７は、背面１６５と隣り合う。
【００２３】
図９を同時に参照する。各巣礎枠ホルダー２４１は、回転軸２２０に非直交に結合され、各巣礎枠ホルダー２４１は、回転方向（白色の矢印の指す方向）と反対方向に所定角度α（９度〜１４度）傾斜する。即ち、本考案の巣礎枠ホルダー２４１は、従来の巣礎枠ホルダー１４１（点線部分）より、９度〜１４度偏移する。
【００２４】
本考案の実施例の蜂蜜遠心分離器２００においては、蜜蜂が巣１６３を形成する際、巣礎枠１６０の上半部からグリップ部１６６の方向に、上方に９度〜１４度に傾斜して巣１６３を形成する習性に基づき、巣礎枠ホルダー２４１が従来の巣礎枠ホルダー１４１より、９度〜１４度偏移している。これにより、巣礎枠ホルダー２４１中に設置される巣礎枠１６０の受風面１６４部分が受ける風抵抗を低下させ、受風面１６４部分の遠心力を高めることができる。これにより、受風面１６４部分の巣１６３中の蜂蜜１６２が有効に放出されるため、残留率を大幅に低下させることができる。
【００２５】
また、本考案の実施例の設計により、背面１６５部分は、蜂蜜採集効率が影響を受けない上、従来技術のように、受風面１６４部分の風抵抗が大きいために、回転速度を高め、そのために、背面１６５部分の巣礎枠１６０内の幼虫が偏移したり、死亡したりすることがない。これにより、蜜蜂が巣１６３に戻った際、時間をかけて整理をする必要がないため、養蜂の効率を高めることができる。試験の結果、同一条件の下、採集される蜂蜜の生産量が約２０％高まり、蜜蜂が巣礎を整理する時間が３０％減少した。
【００２６】
上述の実施形態は、本考案の特徴を説明するものであり、その目的は、当業者が本考案の内容を容易に理解し、実施することにあり、本考案の範囲を限定するものではない。また、本考案の主旨を逸脱しない範囲における同等効果である修飾又は変更は、何れも実用新案登録請求の範囲に含まれる。
【符号の説明】
【００２７】
１００  従来の蜂蜜遠心分離器
１１０  収容槽
１２０  回転軸
１３０  駆動装置
１４０  巣礎枠ホルダー群
１４１  巣礎枠ホルダー
１４２  支持フレーム
１６０  巣礎枠
１６１  巣枠
１６２  巣礎
１６３  巣
１６４  受風面
１６５  背面
１６６  グリップ部
１６７  下枠部
２００  蜂蜜遠心分離器
２１０  収容槽
２２０  回転軸
２３０  駆動装置
２３１  回転ハンドル
２３２  歯車群
２４０  巣礎枠ホルダー群
２４１  巣礎枠ホルダー
２４２  支持フレーム
２４４  上面
２４５  底面
２４６  第１側面
２４７  第２側面
α  角度
【図１】
0003186965.tif 000003
【図２】
0003186965.tif 000004
【図３】
0003186965.tif 000005
【図４】
0003186965.tif 000006
【図５】
0003186965.tif 000007
【図６】
0003186965.tif 000008
【図７】
0003186965.tif 000009
【図８】
0003186965.tif 000010
【図９】
0003186965.tif 000011